(57)【要約】【課題】  利用者に利用された一部空らなった或いは空のタンクを印刷機から容易に取り外すことを可能とするインクタンクを創作すること。【解決手段】  この発明は、実質的に、ハウジング、柔軟なインク袋３、圧縮装置４とカウス２から構成され、この場合にインク袋３と圧縮装置４とカウス２がインクタンク１の内部に配置され、そしてインク袋３と圧縮装置４が全体的或いは部分的にカウス２により包囲されているインクジェットプリンターシステム、印刷機、プロッター或いはそのような自動記録、筆記或いは作図装置のインクタンクに関する。【選択図】    図１
2006082553.tif 000002
【特許請求の範囲】
【請求項１】
実質的に、ハウジング、柔軟なインク袋と圧縮装置から成り、この場合にインク袋と圧縮装置がハウジングの内部に配置されているインクジェットプリンターシステム、印刷機、プロッター或いはそのような自動記録、筆記或いは作図装置用のインクタンクにおいて、  カウス或いはサポーター（２）がインクタンク（１）の内部に配置されており、インク袋（３）と圧縮装置（４）は全体的に或いは部分的にカウス或いはサポーター（２）により包囲されており、そしてカウス或いはサポーター（２）はカウス或いはサポーター（２）の外壁（２２）とインクタンク（１）のハウジング壁（１４）の内面（１４１）との間に自由空間（１４２）が形成されているような形状と寸法に形成されていることを特徴とするインクタンク。
【請求項２】
カウス或いはサポーター（２）がインクタンク（１）と別の部材として形成されていることを特徴とする請求項１に記載のインクタンク。
【請求項３】
カウス或いはサポーター（２）がハウジング壁（１４）の内面（１４１）に固定されていることを特徴とする請求項１或いは２に記載のインクタンク。
【請求項４】
カウス或いはサポーター（２）がインクタンク（１）と一部材で形成され、この場合にインクタンク（１）とカウス（２）の間で自由空間（１４２）或いは膨張空間が三つの空間座標に形成されていることを特徴とする請求項１乃至３のいずれか一項に記載のインクタンク。
【請求項５】
圧縮装置（４）は柔軟な空気袋（４）として形成されていることを特徴とする請求項１乃至４のいずれか一項に記載のインクタンク。
【請求項６】
圧縮装置（５）は圧縮ばね（５）或いはそのような機械的圧力付与器として形成されていることを特徴とする請求項１乃至５のいずれか一項に記載のインクタンク。
【発明の詳細な説明】
【技術分野】
【０００１】
この発明は、自動記録、筆記或いは作図装置、特に印刷機或いはプロッターのようなインクジェットシステム用のインクタンクに関する。
【背景技術】
【０００２】
この種の装置用のインクタンクは、原理的には公知である。
【０００３】
特許文献１は、一緒に圧縮可能なインク袋が存在する硬直なハウジングを備えるインク容器を示して記載し、このインク袋には、柔軟なインク袋を圧縮するプレス装置が連結されている。この種のタンクでは、プレス装置とインク袋から成る圧縮システムがハウジングに支持され、それによってハウジングが膨らんで変形し、そのことは、タンクが印刷機のタンク面からもはや取り外すことができない、或いはかなりの労力でしか取り外すことができるという結果をまねくという欠点がある。
【０００４】
さらに、特許文献２から、気密に閉鎖されたタンクハウジングには、インク袋が敷置されているインクタンクは公知である。タンク内部空間は弁接続部を介して圧縮空気を作用され、それによって柔軟に構成されたインク袋が一緒に折り畳まれ、その袋内にあるインクが外方へ押圧される。この場合には、圧力を作用されたタンクが同様に利用されるか、或いは全く気密でなくなる、それは、圧力効果を生じ、それにより印字ヘッドへのインク供給が中断されるという欠点がある。それに加えて、このタンクは変形に反作用させる構造的観点から非常に費用をかけて構成され、その構造は多数の補強リブで表される。
【０００５】
一般に、あらゆる公知の種類の圧縮タンクシステムにおいて膨らませた或いは膨らんだタンクの問題性が発生している。
【特許文献１】ドイツ特許出願公開第１０２２７２２５号明細書
【特許文献２】米国特許出願公開第２００１−２４２２５号明細書
【発明の開示】
【発明が解決しようとする課題】
【０００６】
それに対して、この発明の課題は、前記言及された欠点を有しなく、利用者に利用された一部空らなった或いは空のタンクを印刷機から容易に取り外すことを可能とするインクタンクを創作することである。
【課題を解決するための手段】
【０００７】
この課題は、請求項１に包含された特徴事項を備える、即ち、カウス或いはサポーターがインクタンクの内部に配置されており、インク袋と圧縮装置とが全体的に或いは部分的にカウス或いはサポーターにより包囲されており、そしてカウス或いはサポーターはカウス或いはサポーターの外壁とインクタンクのハウジング壁の内面との間に自由空間が形成されているような形状と寸法に形成されているという構成をインクタンクに備える装置によって解決される。
【０００８】
好ましい実施態様と構成は、別の請求項において把握される。
【発明を実施するための最良の形態】
【０００９】
この課題を解決するために提案されたインクタンクは、次の図面に基づいて例として記載される。図１は長手方向に切断されたこの発明のインクタンクを示し、図２は図１により横方向に切断されたこの発明のインクタンクを示し、図３は圧縮装置としてばね機構を備えるこの発明のインクタンクの態様を示し、図４はこの発明のカウスを示す。
【実施例１】
【００１０】
図１には、提案されたインクタンク１の原理的構成が図示されており、ここでは、タンク内部空間１１はハウジング壁１４によって制限されている。タンク内部空間１１内には袋内部空間３２内のインク６を貯蔵するインク袋３と空気袋４が配置されており、ここではインク袋３と空気袋４はサポーター２により包囲されている。描かれたインク袋３も、空気袋４も柔軟な材料から構成されている。空気袋４の袋内部空間４２は圧力媒体、特に圧縮空気を作用されて、それによって膨張され、袋内部空間３２内に貯蔵したインク６をインク袋３から押し出す。サポーター或いはカウス２は各時点で、圧力を作用された空気袋４によってインク６が外へ押出される際にハウジング内面１４１に力が作用しないことを保証する。
【００１１】
サポーター２の外壁２２とハウジング内面１４１との間に力が作用しない。圧力作動中に空気袋４の圧力膨張によって生じる力は各時点でサポーター２の内壁２１にしか作用しない。ハウジング壁１４は一個或いは複数個の穿孔部１２を有し、それによりタンク内部空間１１内に過圧が発生することがないから、タンクには膨張による形状の変形を生じない。インクタンク１のハウジング壁１４はこの実施態様ではインク接続部３１と空気接続部４１用の二つの接続開口１３を有する。インク接続部３１はインク栓３３により閉鎖され、空気接続部４１は空気栓４３により閉鎖される。インク栓３３及び／又は空気栓４３は弁或いは隔壁として形成され得る。
【００１２】
図２には、図１によるインクタンク１が横断面で図示されている。この図面では、ハウジング内面１４１とサポーター２の外壁２２との間に自由空間１４２が形成されることが認識できることが明らかであり、これによって、インクタンク１のハウジング壁１４の対向位置する面間に力が作用しないことが保証されている。圧縮装置４の膨張の際に生じる力は各時点でカウス或いはサポーター２の外壁２２にしか作用しない。
【実施例２】
【００１３】
図３はこの発明のインクタンク１の別の態様を示し、この場合に圧縮装置５はこの実施態様では圧縮ばね５１として作用し、ばね板５２を介してインク袋３に作用する。ここで図示されたカウス２は一端にて閉鎖されている。この実施態様はインク接続部３１しか有しない。
【００１４】
図４はカウス或いはサポーター２を単一部材として示す。図示された態様はみぞ２３を有し、この場合には、全く些細なことであり、その形状がこれを有する。カウス２におけるみぞ２３によって、必要に応じて、重量が節約され得る。カウス或いはサポーター２が曲げ強い部材として形成されることが好ましいものとわかったから、それによっていつも力がインクタンク１の対向位置する壁１４に伝達されないことを保証される。図２に示され且つ記載される自由空間１４２がもはや形成されないときに、これはその場合である。
【００１５】
無論、サポーター２は、力がインクタンクの対向位置するハウジング壁に伝達されないことが保証されるときに、網、接着テープ或いは他の袋或いはカバーのような部材から形成できる。
【００１６】
サポーター２の構成の種類には、決して限定が加えられない。別の例では、布袋に加えるまで、針金編み細工、骨組構造或いはリブ構造である。この場合には、サポーターを一或いは二端側面で閉鎖する可能性がある。この場合には、インク及び／又は空気接続部用の穿孔部が形成されていることが重要である。
【００１７】
インクジェットプリンターシステム、印刷機、プロッター或いはそのような自動記録、筆記或いは作図装置用のインクタンクは、実質的にハウジング、ハウジング、柔軟なインク袋と圧縮装置から成り、この場合にインク袋と圧縮装置がハウジングの内部に配置されている。さらに、カウス或いはサポーターががインクタンクの内部に配置されており、インク袋と圧縮装置は全体的に或いは部分的にカウス或いはサポーターにより包囲されている。
【００１８】
このカウス或いはサポーターは、カウス或いはサポーターはカウス或いはサポーターの外壁とインクタンクのハウジング壁の内面との間に自由空間が形成されているような形状と寸法に形成されている。カウス或いはサポーターがインクタンクと別の部材として形成されている。
このカウス或いはサポーターは、ハウジング壁の内面に固定される、例えば接着されることができ、それによって形成された自由空間によってガタガタと鳴る騒音が生じない。
【００１９】
選択的に、このカウス或いはサポーターは、インクタンクと一部材で形成され、しかし、この場合にインクタンクとカウスの間で自由空間或いは膨張空間が三つの空間座標に形成されなければならなく、印刷機の作動の如何なる時点にも、力がタンクのハウジング壁に作用しない。
圧縮装置は柔軟な空気袋として、圧縮ばね或いはそのような機械的圧力付与器として、形成されることができる。
【図面の簡単な説明】
【００２０】
【図１】長手方向に切断されたこの発明のインクタンクを示す。
【図２】図１により横方向に切断されたこの発明のインクタンクを示す。
【図３】圧縮装置としてばね機構を備えるこの発明のインクタンクの態様を示す。
【図４】この発明のカウスを示す。
【符号の説明】
【００２１】
１．．．．．インクタンク
１１．．．．タンク内部空間
１２．．．．穿孔部
１３．．．．接続開口
１４．．．．ハウジング壁
１４１．．．ハウジング内面
１４２．．．自由空間
２．．．．．カウス或いはサポーター
２１．．．．サポーターの内壁
２２．．．．サポーターの外壁
２３．．．．くぼみ
３．．．．．インク袋
３１．．．．インク接続部
３２．．．．袋内部空間
３３．．．．インク栓
４．．．．．空気袋
４１．．．．空気接続部
４２．．．．袋内部空間
４３．．．．空気栓
５．．．．．圧縮装置
５１．．．．圧縮ばね
５２．．．．ばね板
６．．．．．インク
【図１】
2006082553.tif 000003
【図２】
2006082553.tif 000004
【図３】
2006082553.tif 000005
【図４】
2006082553.tif 000006